(57)【要約】【課題】電気集塵装置において、対向電極の通風抵抗を小さくし、かつ集塵性能を向上させること。【解決手段】荷電部を高電圧が印加される放電電極３と対向電極４で構成し、集塵部を集塵フィルター６で構成すると共に、荷電部と集塵部とを一体化する外枠１０により集塵ユニット１を構成し、対向電極４は複数の矩形状の開口部５を備えた板体とし、放電電極３は鋸刃形状で先端は対向電極４側へ突出すると共に、一つの矩形状開口部５には複数の放電電極３が対応するように構成することにより、対向電極４の板体の開口率が上がり通風抵抗を下げることができ、また集塵フィルター６を設けることにより帯電した微粒子を効率よく捕集することができる。【選択図】図１
2006068580.tif 000002
【特許請求の範囲】
【請求項１】
荷電部と集塵部とを有して構成される電気集塵装置であって、荷電部を高電圧が印加される放電電極と対向電極で構成し、集塵部を集塵フィルターで構成すると共に、荷電部と集塵部とを一体化する外枠により集塵ユニットを構成し、前記対向電極は複数の矩形状の開口部を備えた板体とし、前記放電電極は鋸刃形状で先端は対向電極側へ突出すると共に、一つの矩形状開口部には複数の放電電極が対応するように構成した電気集塵装置。
【請求項２】
対向電極の開口部を長孔形状、もしくは複数の円状開口部の一部を連通させた連通孔形状とした請求項１に記載の電気集塵装置。
【請求項３】
対向電極の複数の開口部の間に切欠孔を設けた請求項１〜請求項２のいずれか１項に記載の電気集塵装置。
【請求項４】
集塵ユニットに対して、集塵部を着脱可能な構成とした請求項１〜請求項３のいずれか１項に記載の電気集塵装置。
【請求項５】
請求項１〜４のいずれか１項に記載の電気集塵装置を送風回路に配設し、前記電気集塵装置にかかる電源をその本体から供給するように構成した空気調和装置。
【請求項６】
請求項１〜４のいずれか１項に記載の電気集塵装置を送風回路に配設し、前記電気集塵装置にかかる電源をその本体から供給するように構成した空気清浄装置。
【発明の詳細な説明】
【技術分野】
【０００１】
本発明は、空気中の塵埃などを捕集する電気集塵装置に関するものであり、より詳しくは空気調和機や空気清浄機などに用いることができる集塵性能の高い電気集塵装置に関するものである。
【背景技術】
【０００２】
従来、この種の電気集塵装置は荷電部を構成する放電電極と対向電極との間に高電圧を印加してコロナ放電を発生させることにより、そこに送風されてきた空気中に浮遊する微粒子を帯電させ、それを対向電極と集塵部を兼用した放電対極において電気的に捕集するように構成している（例えば、特許文献１参照）。
【０００３】
図６は、特許文献１に記載された従来の電気集塵装置を示すものである。図６に示すように、枠体１０３と放電極１０４と放電針１０４Ｃと放電対極１０５と孔部１０５Ａから構成されている。
【特許文献１】特許第３４１１１５７号公報
【発明の開示】
【発明が解決しようとする課題】
【０００４】
しかしながら、前記従来の構成では、放電対極１０５をコロナ放電を発生させるための対向電極と、かつ帯電した微粒子を捕集する集塵部を兼用した板体形状であるために、捕集性能を上げるためには所定の面積が必要となり、このため、空気の通風抵抗が大きくなるという課題を有していた。
【０００５】
本発明は、前記従来の課題を解決するもので、電気集塵において通風抵抗が小さく、しかも集塵フィルターを備えることにより集塵性能を高くした電気集塵装置を提供することを目的とする。
【課題を解決するための手段】
【０００６】
前記従来の課題を解決するために、本発明の電気集塵装置は、荷電部を高電圧が印加される放電電極と対向電極で構成し、集塵部を集塵フィルターで構成すると共に、対向電極は複数の矩形状の開口部を備えた板体とし、放電電極は鋸刃形状で先端は対向電極側へ突出すると共に、一つの矩形状開口部には複数の放電電極が対応するように構成したものである。
【０００７】
これによって、対向電極の板体の開口率を上げ通風抵抗を下げることができ、また集塵フィルターを設けることにより帯電した微粒子を効率よく捕集することができる。
【発明の効果】
【０００８】
本発明の電気集塵装置は、開口率の大きい対向電極板体と集塵フィルターにより、通風抵抗を低くすることができ、かつ集塵性能を向上させることができる。
【発明を実施するための最良の形態】
【０００９】
第１の発明は、荷電部を高電圧が印加される放電電極と対向電極で構成し、集塵部を集塵フィルターで構成すると共に、荷電部と集塵部とを一体化する外枠により集塵ユニットを構成し、対向電極は複数の矩形状の開口部を備えた板体とし、放電電極は鋸刃形状で先端は対向電極側へ突出すると共に、一つの矩形状開口部には複数の放電電極が対応するように構成したものである。そしてこの構成によれば、対向電極は複数の放電電極に対応するように矩形状の開口部を備えた板体なので、開口率を上げることができ通風抵抗を低下させると共に、集塵フィルターを設けているので、コロナ放電により帯電した空気中の微粒子を集塵フィルターで高効率に捕集することができる。
【００１０】
第２の発明は、特に、第１の発明の対向電極の開口部を長孔形状、もしくは複数の円状開口部の一部を連通させた連通孔形状としたことにより、放電電極と対向電極との最短部空間距離の変化が小さくなり、より均質なコロナ放電が形成され、通過する微粒子を効率良く帯電させることができるために、集塵性能の向上を図ることができる。
【００１１】
第３の発明は、特に、第１または第２の発明の対向電極の複数の開口部の間に切欠孔を設けたことにより、コロナ放電の形成には影響を与えることなく、対向電極板体の開口率を上げることができるため、通風抵抗を下げることができ集塵性能の向上を図ることができる。
【００１２】
第４の発明は、特に、第１〜３のいずれか１つの発明の集塵ユニットに対して、集塵部を着脱可能な構成とすることにより、長期間の使用に伴って集塵部である集塵フィルターに汚れが付着したときに、集塵フィルターの洗浄や交換などのメンテナンスをすることができる。
【００１３】
第５の発明は、特に、第１〜４のいずれか１つの発明の電気集塵装置を空気調和装置の送風回路に配設し、電気集塵装置にかかる電源をその本体から供給するように構成することにより、通風抵抗が小さくしかも高い集塵性能を有する空気調和装置を提供することができる。
【００１４】
第６の発明は、特に、第１〜４のいずれか１つの発明の電気集塵装置を空気清浄装置の送風回路に配設し、電気集塵装置にかかる電源をその本体から供給するように構成することにより、通風抵抗が小さくしかも高い集塵性能を有する空気清浄装置を提供することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気集塵装置の斜視摸式図である。
【００１７】
図１において、ステンレスなどで構成される放電電極板２には複数の鋸刃形状の放電電極３が電気的に一体となって構成されている。対向電極４は複数の矩形状の開口部５を設けたステンレスなどで構成される板体で、この対向電極４の板体に向かって鋸刃形状の放電電極３の先端が突出しており、放電電極３と対向電極４とで荷電部を構成している。ここで、対向電極４における１個の矩形状の開口部５に対して、２個の鋸刃形状の放電電極３が対応するように配設されている。
【００１８】
対向電極４の下流側には、集塵部として、空気が容易に通過でき集塵性能の高い特性を有するハニカム形状の集塵フィルター６を設けている。これら荷電部と集塵部は外枠１０により一体化されると共に、外枠１０には取手９が接合され集塵ユニット１を構成している。放電電極板２には高圧側接点７Ａが、一方、対向電極４には接地側接点８Ａが電気的に接続されている。
【００１９】
集塵ユニット１は、集塵ユニット１への電源供給を行う電源ユニット１１と着脱可能なようにできており、取手９を持って着脱を行う。電源ユニット１１には、電源１２が組み込まれており、高圧電位は高圧接続線１３を経て高圧側接点７Ｂに接続され、一方、接地電位は接地接続線１４を経て接地側接点８Ｂに接続されている。集塵ユニット１と電源ユニット１１は装着時は、お互いの接点、つまり、高圧側接点７Ａと７Ｂ、接地側接点８Ａと８Ｂが電気的に接続されるような構造になっている。
【００２０】
以上のように構成された電気集塵装置について、以下その動作、作用を説明する。
【００２１】
電源ユニット１１の電源１２より高圧側にマイナスの電圧が印加されると、荷電部における鋸刃形状の放電電極３と板体の対向電極４との間でコロナ放電が形成される。このコロナ放電領域に吸い込み側から流入してきた空気が通過すると、その際空気中に含まれる微粒子を帯電させる。そして、この帯電した微粒子が集塵部である集塵フィルター６を通過する際に、集塵フィルター６に効率良く捕集される。
【００２２】
以上にように、本実施の形態においては、対向電極４は複数の鋸刃形状の放電電極３に対応するように矩形状の開口部５を備えた板体なので、開口率を上げることができ通風抵抗を低下させると共に、集塵フィルター６を設けているので、コロナ放電により帯電した空気中の微粒子を集塵フィルターで高効率に捕集することができる。
【００２３】
なお、本実施の形態では、対向電極４における１個の矩形状の開口部５に対して、２個の鋸刃形状の放電電極３が対応するように配設しているが、３個以上の放電電極が対応するように配設してもよい。
【００２４】
また、本実施の形態では、高圧側をマイナスに印加させ微粒子を負に帯電させているが、逆に高圧側をプラスに印加し微粒子を正に帯電させてもよい。
【００２５】
また、本実施の形態では、集塵フィルター６としてハニカム形状でできたフィルターを用いているが、フィルター形状としては、流入空気が通過できるものであれば、いかなる形状のもでもよく、例えば、プリーツ形状の集塵フィルターでもよい。
【００２６】
（実施の形態２）
図２および図３は、本発明の第２の実施の形態における電気集塵装置の対向電極の摸式図である。図２において、対向電極２０は開口部を長孔形状２１とし、図３において、対向電極３０は２つの円状開口部の一部を連通させた連通孔形状３１としている。
【００２７】
図２および図３において、対向電極２０、３０の開口部２１、３１に対して鋸刃形状の放電電極３が２個配設されている。コロナ放電は鋸刃形状の放電電極３と対向電極２０、３０との間で形成されるが、特に、放電電極３と対向電極２０、３０との空間距離の短い部分に放電が強く集中する特性を有する。すなわち、対向電極２０、３０の開口部２１、３１のエッジ部分２３、３３に集中することになる。
【００２８】
図２のように対向電極２０の開口部を長孔形状２１にしたり、あるいは図３のように２つの円状開口部の一部を連通させて連通孔形状３１にすることにより、放電電極３と対向電極２０あるいは３０との最短空間距離が距離ｒで形成される部分が多くなる。つまり、放電電極３と対向電極２０あるいは３０との最短部空間距離の変化が矩形状の開口部５に比べて小さくなる。これにより、より均質なコロナ放電が形成され、通過する微粒子を効率良く帯電させることができるために、集塵性能の向上を図ることができる。
【００２９】
（実施の形態３）
図４および図５は、本発明の第３の実施の形態における電気集塵装置の対向電極の摸式図である。図４および図５において、対向電極４０、５０の開口部２１、３１の間に切欠孔４１、４２および５１、５２、５３を設けている。
【００３０】
このように対向電極４０、５０において、開口部２１、３１の間に切欠孔４１と４２、５１と５２と５３を設けることにより、コロナ放電の形成には影響を与えることなく、通風抵抗を下げることができ、集塵ユニット１を通過する風量が増大し、集塵性能を向上させることができる。
【００３１】
（実施の形態４）
本発明の第４の実施の形態における電気集塵装置について、図１を用いて説明する。
【００３２】
集塵部における集塵フィルター６は集塵ユニット１を構成する他の部分に対して着脱可能に配設されており、空気中に含まれる微粒子を捕集して汚れてきたときには洗浄可能あるいは交換可能なようになっている。こうして、長期間使用していても、集塵フィルター６の洗浄や交換などのメンテナンスを行うことができる。
【００３３】
（実施の形態５）
本発明の第５の実施の形態について説明する（図示なし）。
【００３４】
集塵ユニット１と電源ユニット１１から構成される電気集塵装置を送風回路中に配設し、空気調和装置を構成したものである。本電気集塵装置を装着することにより、低い通風抵抗でしかも高い集塵性能を有する空気調和装置を構成することができる。
【００３５】
（実施の形態６）
本発明の第６の実施の形態について説明する（図示なし）。
【００３６】
集塵ユニット１と電源ユニット１１から構成される電気集塵装置を送風回路中に配設し、空気清浄装置を構成したものである。本電気集塵装置を装着することにより、低い通風抵抗でしかも高い集塵性能を有する空気清浄装置を構成することができる。
【産業上の利用可能性】
【００３７】
以上のように、本発明の電気集塵装置は、対向電極の板体の開口率を上げることにより、通風抵抗を下げ通過風量を増大させると共に、集塵フィルターを設けることにより帯電した微粒子を効率よく捕集することができ、集塵性能の向上を図ることが可能となるので、空気調和装置や空気清浄装置などの用途にも適用できる。
【図面の簡単な説明】
【００３８】
【図１】本発明の実施の形態１における電気集塵装置の斜視模式図
【図２】本発明の実施の形態２における対向電極の模式図
【図３】本発明の実施の形態２における対向電極の模式図
【図４】本発明の実施の形態３における対向電極の模式図
【図５】本発明の実施の形態３における対向電極の模式図
【図６】従来の電気集塵装置の分解斜視図
【符号の説明】
【００３９】
１  集塵ユニット
３  放電電極
４、２０、３０、４０、５０  対向電極
５、２１、３１  開口部
６  集塵フィルター
１０  外枠
１２  電源
４１、４２、５１、５２、５３  切欠孔
【図１】
2006068580.tif 000003
【図２】
2006068580.tif 000004
【図３】
2006068580.tif 000005
【図４】
2006068580.tif 000006
【図５】
2006068580.tif 000007
【図６】
2006068580.tif 000008